(57)【要約】【課題】衛生マスクに装着し使用され、使用時に温熱感が得られる、衛生マスクインナーシートを提供する。【解決手段】衛生マスクインナーシートを、水０〜４０重量％、及び多価アルコールからなる保湿剤５０〜１００重量％を含む組成物を含浸するシートで構成する。【選択図】なし【特許請求の範囲】
【請求項１】
衛生マスクの内側に配置されて用いられる衛生マスクインナーシートであって、
水０〜４０重量％、及び多価アルコールからなる保湿剤５０〜１００重量％を含む組成物を含浸するシートからなることを特徴とする、衛生マスクインナーシート。
【請求項２】
前記保湿剤は、グリセリン、１，３ブチレングリコール、１，３プロパンジオール、１，２ペンチレングリコール、イソプレングリコール、ポリエチレングリコール、プロピレングリコール、及びジプロピレングリコール、並びにこれらのエチレンオキサイド付加物、及びプロピレンオキサイド付加物からなる群から選ばれる一種または二種以上である、請求項１に記載の衛生マスクインナーシート。
【請求項３】
前記シートが、コットン、パルプ、レーヨン、ＰＥＴ（ポリエチレンテレフタレート）、ＰＰ（ポリプロピレン）、ＰＥ（ポリエチレン）からなる群から選ばれる一種または二種以上で形成された織布又は不織布である請求項１又は２記載の衛生マスクインナーシート。
【請求項４】
前記組成物の含浸量は、前記シートの重量に対し０．１倍〜１０倍の量である、請求項１〜３の何れかに記載の衛生マスクインナーシート。
【請求項５】
衛生マスクの内側に請求項１〜４の何れかに記載の衛生マスクインナーシートを配置し、該衛生マスクインナーシートに呼気を接触させることにより、前記衛生マスク内の空気を温熱することを特徴とする、口周りの温熱方法。
【発明の詳細な説明】
【技術分野】
【０００１】
本発明は、衛生マスクのインナーシートに関する。
【背景技術】
【０００２】
ウイルス感染に対する最も有効な予防方法の１つとして、衛生マスクの着用が推奨されている。
中でも、症状の悪化が問題となるインフルエンザウイルスへの感染は、日本では、空気が乾燥する冬期に最も起こりやすいことが知られている。
【０００３】
これまで、繰り返し使用される衛生マスクには、高い衛生状態を保つために、衛生マスクの内側に使い捨てのガーゼを配置すること等が提案されてきた。
【０００４】
他方、多価アルコールの水和熱を利用した、顔に塗布した際に温感を与える化粧料、パック剤などが提案されている。特許文献１には、水和熱を利用した化粧品組成物が開示されている。
【０００５】
使用時に、温感を与える化粧料として、エアゾールタイプで温感効果を訴求する化粧料がある。例えば、特許文献２や特許文献３には、水和発熱するエアゾール化粧料が開示されている。
【先行技術文献】
【特許文献】
【０００６】
【特許文献１】特開２０１０−１００５７７号公報
【特許文献２】特開平６−２２７９４１号公報
【特許文献３】特開２００１−３２３２５８号公報
【発明の開示】
【発明が解決しようとする課題】
【０００７】
ところで、衛生マスクの使用が日常的となる中で、使い捨てで手軽に使用できるというメリットを維持しながら、衛生マスクにさらなる機能性を持たせることについて検討されている。
特に、衛生マスクが、日本では乾燥し温度が低い冬場に多用されることから、保温、保湿という観点から新しい機能を持つ衛生マスクを提供することについてのニーズは高い。
そこで、本発明は、衛生マスクに新たな機能を付加することを課題とする。具体的には、本発明は、衛生マスクに装着し使用するインナーシートで、使用時に温熱感が得られるインナーシートを提供することを課題とする。
【課題を解決するための手段】
【０００８】
本発明者は、衛生マスクに新たな機能を持たせる研究を行ってきた結果、水０〜４０重量％、及び多価アルコールからなる保湿剤５０〜１００重量％を含む組成物を含浸するシートを、衛生マスクの内側に配置することにより、口鼻周りの保温と保湿が同時に行え、極めてユニークな感触が得られることを発見し、本発明を完成させるに至った。
【０００９】
上記課題を解決する本発明は、衛生マスクの内側に配置されて用いられる衛生マスクインナーシートであって、水０〜４０重量％、及び多価アルコールからなる保湿剤５０〜１００重量％を含む組成物を含浸するシートからなることを特徴とする。
このような構成の衛生マスクインナーシートは、衛生マスクの内側に装着して用いると、呼気がシートに接触することにより、口周りに明らかな温感を感じる程度に発熱する。
同時に、保湿剤の口周りへの接触により、唇、口周りを保湿することもできる。
【００１０】
本発明の好ましい形態では、前記保湿剤は、グリセリン、１，３ブチレングリコール、１，３プロパンジオール、１，２ペンチレングリコール、イソプレングリコール、ポリエチレングリコール、プロピレングリコール、及びジプロピレングリコール、並びにこれらのエチレンオキサイド付加物、及びプロピレンオキサイド付加物からなる群から選ばれる一種または二種以上である。
これらの保湿剤を、シートに含浸させることにより、シートへの呼気の接触により適度に発熱する。また、口周りの保湿剤としても安全に使用できる。
【００１１】
本発明の好ましい形態では、前記シートは、コットン、パルプ、レーヨン、ＰＥＴ（ポリエチレンテレフタレート）、ＰＰ（ポリプロピレン）、ＰＥ（ポリエチレン）からなる群から選ばれる一種または二種以上で形成された織布又は不織布である。
これらのシートの重量は、１０ｇ／ｍ2〜３００ｇ／ｍ2、好ましくは２０ｇ／ｍ2〜２００ｇ／ｍ2、より好ましくは３０ｇ／ｍ2〜１００ｇ／ｍ2である。これらのシートを用いることで、前記保湿剤を適量含浸させることができ、適度な発熱に寄与する。
【００１２】
本発明の好ましい形態では、水及び前記保湿剤の合計含浸量は、前記シートの重量に対し０．１倍〜１０倍である。
このような含浸量で水及び／又は保湿剤を含浸することにより、口周りの適度な保温と適度な保湿を両立させることができる。
【００１３】
本発明は、また、衛生マスクの内側に、上述した衛生マスクインナーシートを配置し、該衛生マスクインナーシートに呼気を接触させることにより、前記衛生マスク内の空気を温熱することを特徴とする、口周りの温熱方法である。
これにより、冬場等に、衛生マスクを利用して口周りを温熱することができる。
また、好ましい形態では、口周りの保湿も行うことができる。
【発明の効果】
【００１４】
本発明の衛生マスクインナーシートは、従来の衛生マスクに新たな機能を付与するものである。本発明の衛生マスクインナーシートは、冬場の衛生マスク着用の際に、口周りの保温と保湿を行うことができるものである。また、ユニークな感覚で使用でき、楽しみながらウイルス感染の予防等ができる点で有用である。
【発明を実施するための形態】
【００１５】
本発明の衛生マスクインナーシートは、衛生マスクの内側に配置されて用いられるものであり、水０〜４０重量％、及び多価アルコールからなる保湿剤５０〜１００重量％を含む組成物を含浸するシートからなることを特徴とする。
【００１６】
シートに含浸される組成物は、水を含有してもしなくてもよいが、その含有量の上限は、組成物に対し、好ましくは４０重量％、さらに好ましくは３０重量％、より好ましくは２０重量％である。
これにより、適度な温熱効果を得ることができると同時に、保湿性も良好となる。
【００１７】
また、シートに含浸される組成物は、保湿剤を含有するが、その下限は、５０重量％、好ましくは６０重量％、さらに好ましくは７０重量％、特に好ましくは８０重量％である。また、全量が保湿剤であってもよい。
これにより、適度な温熱効果を得ることができると同時に、保湿性も良好となる。
保湿剤としては、好ましくは、グリセリン、１，３ブチレングリコール、１，３プロパンジオール、１，２ペンチレングリコール、イソプレングリコール、ポリエチレングリコール、プロピレングリコール、及びジプロピレングリコール、並びにこれらのエチレンオキサイド付加物、及びプロピレンオキサイド付加物からなる群から選ばれる一種または二種以上である。中でも、グリセリン、１，３ブチレングリコール、１，３プロパンジオールからなる群から選ばれる一種または二種以上を含むことが、適度な温熱効果を得る観点から好ましい。
上記組成物において、天然由来のグリセリン、１，３ブチレングリコール、１，３プロパンジオールを単独で、又は組み合わせて用いて、天然由来の植物および植物抽出液やメントールおよびハッカ油などを加えて全て天然由来の原料でシートを作ることもできる。
グリセリン、１，３ブチレングリコール、及び１，３プロパンジオールから選ばれる一種または二種以上を用いる場合には、例えば、各成分の重量比率を以下とすることが好ましい。
グリセリンの重量：１，３ブチレングリコールと１，３プロパンジオールの合計重量＝１：１０〜１０：１
また、１，３ブチレングリコールと１，３プロパンジオールを併用する場合には、これらの重量比率を好ましくは１：１０〜１０：１、さらに好ましくは２：５〜５：２とすることも好ましい。
この範囲とすることで、衛生マスクのインナーシートとして好適な温熱効果を得ることが可能となる。
【００１８】
ポリエチレングリコールの分子量としては、好ましくは１００〜１０００、より好ましくは２００〜６００が挙げられる。例えば、ポリエチレングリコール３００及び４００を好ましく用いることができる。
【００１９】
水と前記保湿剤の含有重量比は、好ましくは０：１００〜３５：６５、さらに好ましくは０：１００〜３０：７０、より好ましくは０：１００〜２０：８０である。
このような含有割合とすることで、良好な温熱感と良好な保湿性を実現できる。
【００２０】
また、シートに含浸される組成物は、水と保湿剤以外の成分を含んでいてもよいが、その含有量は、好ましくは２０重量％以下、さらに好ましくは１０重量％以下である。
このような任意成分として、油分、精油等の香料が挙げられる。
【００２１】
本発明において用いられるシートは、コットン、パルプ、レーヨン、ＰＥＴ（ポリエチレンテレフタレート）、ＰＰ（ポリプロピレン）、ＰＥ（ポリエチレン）からなる群から選ばれる一種または二種以上で形成された織布又は不織布である。
例えば、コットン、ＰＥＴ、ＰＥを混合して製造される不織布を用いることが挙げられる。この場合、コットンの含有量は、例えば、３０〜７０重量％程度とすることが挙げられる。
シートの大きさは、衛生マスクに納まり、口周りを覆うことができる大きさであればよく、４０ｍｍ〜８０ｍｍ＊６０ｍｍ〜１２０ｍｍ程度を目安とすることができる。
織布又は不織布の重量は、１ｍ2あたり、好ましくは１０ｇ〜３００ｇ、さらに好ましくは２０ｇ〜２００ｇ、より好ましくは３０ｇ〜１００ｇである。このような範囲とすることにより、上記の保湿剤及び／又は水を含む組成物を温熱効果及び保湿効果を得るのに適量含浸させることが可能となる。
【００２２】
前記組成物のシートへの含浸量は、シート１枚当たりの重量に対して、好ましくは０．１倍〜１０倍、さらに好ましくは０．４倍〜８倍、より好ましくは０．８倍〜６倍である。
このような含浸量で水及び／又は保湿剤を含浸することにより、口周りの適度な保温と適度な保湿を両立させることができる。
【００２３】
本発明の衛生マスクインナーシートは、上述した保湿剤に、必要に応じて水、植物、植物抽出液、メントール、ハッカ油、香料等の任意成分を混合して得られた組成物に、前記シートを浸漬することにより製造することができる。
【実施例】
【００２４】
以下に実施例を挙げて、更に詳細に説明するが、本発明はこれらに限定されるものではない。以下の配合量のパーセント表記は全て重量による。
【００２５】
＜衛生マスクインナーシートの作成＞
表１の処方に従って、組成物を調製した。
保湿剤及び水（実施例１以外）を撹拌混合した。
実施例１、４、５、及び比較例３については、予め１，３ブチレングリコールにその他成分を溶解しておいた。
このようにして製造した組成物を、コットン、ＰＥＴ、ＰＥ混合の不織布６０ｍｍ＊７０ｍｍに１ｇ含浸してサンプルを得た。
不織布におけるコットンの割合は、５０％、目付は３０ｇ／ｍ2であった。
【００２６】
＜衛生マスクインナーシートの評価＞
１０代から６０代までの男性、各年代２名ずつ小計１２名、１０代から６０代までの女性、各年代２名ずつ小計１２名、合計２４名のパネラーによる使用テストを行った。
パネラーに衛生マスクを着用してもらい、以下の項目について評価をしてもらった。
評価結果を表１に併せて示す。
【００２７】
評価１：装着時の温かさ 
インナーマスクを装着し、装着直後の温かさを評価した。 
４：ほかほかと温かい。 
３：ほかほかとやや温かい。 
２：わずかにほかほかする。 
１：ほかほか感がなく涼しい。
【００２８】
評価２：装着後の温かさ 
インナーマスクを装着し、６０分後の温かさを評価した。 
４：ほかほかと温かい。 
３：ほかほかとやや温かい。 
２：わずかにほかほかする。 
１：ほかほか感がなく涼しい。
【００２９】
評価３：肌のしっとり感（装着６０分後） 
インナーマスクを装着し、６０分後に肌の状態を評価した。 
４：しっとり感があり、肌が滑らか 
３：ややしっとり感があり、肌が滑らか 
２：しっとり感が少なく、肌の滑らか感も少ない 
１：しっとり感および滑らか感が全くない
【００３０】
【表１】
2013244153.tif 000002
【００３１】
評価の結果、水０〜４０重量％、及び多価アルコールからなる保湿剤５０〜１００重量％を含む組成物を含浸するシートが、衛生マスクインナーシートとして、好適な温熱感と保湿性を有することがわかった。
【００３２】
特に、水の含有量の上限は、組成物に対し、好ましくは４０重量％、さらに好ましくは３０重量％、より好ましくは２０重量％であること、保湿剤の含有量の下限は、５０重量％、好ましくは６０重量％、さらに好ましくは７０重量％、特に好ましくは８０重量％であることが分かった。
また、水と前記保湿剤の含有重量比は、好ましくは０：１００〜３５：６５、さらに好ましくは０：１００〜３０：７０、より好ましくは０：１００〜２０：８０であることが分かった。
【産業上の利用可能性】
【００３３】
本発明は、衛生マスクに保温性と保湿性という新しい機能を付与するものである。